(57)【要約】ガスソケットは、表面取り付けに使用することができるように提案されるべきである。ガスソケットの最終据え付けは、設置場所の工事が完全に竣工した後に可能でなければならない。ガスソケットの外部可視領域の交換も可能であるべきである。このために、ガスソケットは、ハウジング（１）、遮断装置（１０）、保持部材（２９）および側面で開くカバー（３５）からなる。ハウジング（１）はねじれ耐性になるように保持部材（２９）に固着され、該保持部材を壁面（２８）と静止するように連結する。遮断装置（１０）は、保持部材（２９）に設置することができる。カバー（３５）は、その一側壁に入口ポート（２）用の開口（３６）を有し、且つ加えて自由移動可能なようにハウジング（１）を囲撓し、一方、遮断装置（１０）が固着されると、一方では壁面（２８）で且つ他方では遮断装置（１０）で支持される。
2006521508.tif 000002
【特許請求の範囲】
【請求項１】
静止するようにガスソケットを壁面（２８）に据え付けたガス配管と固定連結するための入口ポート（２）からなるハウジング（１）と、
ガス接続プラグが連結されると、外部締め付けが達成されるまで内部ガス通路を解放しないガス接続プラグを連結するための遮断装置（１０）であって、縦方向にシフトできる筒形状のノズル（１１）によってハウジング（１）の中へ気密になるように突入する遮断装置（１０）と、
静止するように壁面（２０）と連結される保持部材（２９）であるが、一方ではハウジング（１）がねじれ耐性になるように固着され、他方では遮断装置（１０）を設置できる保持部材（２９）と、
側壁面の一方に入口ポート（２）用の開口（３６）を有し且つ加えて自由移動可能なように保持部材（２９）およびハウジング（１）を囲撓する側面開口のカバー（３５）であって、一方、一方では壁面（２８）で支持され且つ他方では遮断装置（１０）が固着されると該遮断装置で支持されるカバー（３５）とを備えるガスソケット。
【請求項２】
遮断装置（１０）の方向に向いているカバー（３５）の面は、少なくとも部分円周状のウェブ（３７）を備え、該ウェブは遮断装置（１０）を固着すると該遮断装置の中へ突入する請求項１記載のガスソケット。
【発明の詳細な説明】
【技術分野】
【０００１】
本発明は、ガス接続プラグに連結するための遮断装置とともに、ガスソケットと、壁面で静止するように据え付けたガス配管とを固定連結させるための入口ポートからなるハウジングを有するガスソケットに関する。ガス接続プラグが連結されると、遮断装置は外部との気密性が達成された後にのみ内部ガス通路を解放する。
【背景技術】
【０００２】
ガスソケットは、建物内部で静止するように据え付けたガス配管と、ガス調理器や回転式乾燥機のようなガス稼動機器との接続を得るのに役立っている。このガスソケットは、ガス消費者とガス配管とのやさしい関係を保証する。
【０００３】
このようなガスソケットが、独国特許第１００６１６５３号明細書に記載されている。このガスソケットは、静止ガス配管との固定連結を確立させるために一体的な入口ポートを有するベース本体と、ベース本体へネジ止めされる出口ポートと、ガス接続プラグを受け入れるために所定の距離をおいて出口ポートの外側シェルを囲撓し且つ加えてベース本体にボルト止めされるベースプレートとからなる。さらに、ベースプレートは、壁に固着される壁上のストッパとして役立つ。フードはベースプレートに固着され、該ベースプレートはガス接続プラグをプラグインしない時にカバーを有する出口ソケットの接続開口を閉じ、さらにカバーはロック装置を具備する。このロック装置は、カバーのロックに適しているガス接続プラグの最初の挿入作動によって解除される。ガス接続プラグの少なくとも１回の別の作動によって、カバーは、ガス接続プラグの連結のために出口ポートの接続開口を解放する。
【０００４】
独国特許第１０１５１９９５号明細書に記載された他の解決策では、静止ガス配管に関して位置偏差の平衡化をもたらす壁の外表面に関連したガスソケットの位置調整体を備えたガスソケットからなる。このために、ガスソケットは、ハウジングと遮断装置と締め付け部材とを備える。このハウジングは、ガスソケットを静止ガス配管と固定連結することを確立するための入口ソケットを具備する。この遮断装置はガス接続プラグに連結するために用いられ、そして内部ガス通路は外部締め付けを確立するまで解放されない。この遮断装置は、ハウジングに向いた側面にカラーを具備した筒形状のノズルによって気密になるようにハウジングの中に突入し、これらは止め溝によって制限される。バネ加圧の保持リングは、ノズルがハウジングの中へ摺動することを確保し、一方、ハウジングからノズルが滑り出すことは不可能である。締め付け部材は、一方では壁と且つ他方では遮断装置と連結され、一方、その遮断装置は、締め付け部材を一端で脱着した後にノズルの縦軸線に沿ってハウジングの方へ旋回可能である。
【０００５】
これら２つの解決策の欠点は、単に壁内部または埋込み据え付けとして使用できるにすぎないことである。しかしながら、ガス器具の利益になるような決断を建物の竣工の後にすると、壁内部でのガス配管系の敷設は、可能にするならば、非常な努力と高いコストを掛けてのみ可能である。このような場合には、ガス配管は普通に壁に設置され且つ表面取り付けされたガスソケットを必要とする。
【０００６】
ガスソケットの別の具体例が独国特許公開第３５１９９３３号に記載されている。ここでは、ガスソケットは、ガス接続プラグを受け入れるためにハウジング内で回転可能な筒形状のガス通路本体と、該ガス通路本体に対して直角に設置した入口ダクトとを備える。この遮断装置は、直角のボールダクトとともに、ガス通路本体の縦軸線の回りで回転できるボールからなる。ガス通路本体の入口端は、ボールダクトの出口端の中に突入し且つねじれ耐性になるようにボールとつながっている。入口ダクトの縦方向においてその正反対の側面で、ボールはハウジングの２本の弾力性Ｏ−リングに当接するが、Ｏ−リングの一方は入口ダクトに取り付けた管継手に配置され、該入口ダクトによってそのＯ−リングをボールに押し付けることができる。
【０００７】
この解決策は、表面取り付けに用いることができる。しかしながら、この欠点は、表面取り付けがガスソケットの可視領域も含むことである。これは、部屋の最終竣工までに、ガスソケットの外方出現でマイナスの影響をもたらす擦過傷のような損傷が起こりうるという危険性を内包している。その他の欠点は、後続の改造および修理作業時にガスソケットの可視部分を適合または交換することができないことである。
【特許文献１】独国特許第１００６１６５３号明細書
【特許文献２】独国特許第１０１５１９９５号明細書
【特許文献３】独国特許公開第３５１９９３３号公報
【発明の開示】
【０００８】
本発明は、表面取り付けに使用することができる前記のタイプのガスソケットを開発する基礎的な仕事に基づいている。この目的は、設置場所例えば部屋が構造上の観点から完全に竣工された後に、ガスソケットの外部可視部材の最終取り付けが可能であることを保証することである。さらに、ソケットの外部可視部材の交換は、大して苦労することなく行うことが可能である。
【０００９】
本発明に従って、ハウジング、遮断装置、保持部材および側面で開くカバーとを有するガスソケットを提供することによって問題が解決されるものである。ハウジングは、ガスソケットを壁面据え付けの静止ガス配管に固定連結させるための入口ポートを備える。遮断装置は、ガス接続プラグを連結するために用いられ、且つ内部ガス通路は外部締め付けを確立するまで解放されない。遮断装置は、縦方向にシフトできる筒形状のノズルによって気密になるようにハウジングの中に突入する。ハウジングはねじれ耐性になるように保持部材に固着され、且つ保持部材は静止するように壁面と連結される。さらに、遮断装置は、保持部材に固着することができる。側面で開くカバーは、側壁に入口ポート用の開口を有し、且つ加えて自由移動可能なように保持部材およびハウジングを囲撓し、一方、遮断装置が固着されると、一方では壁で且つ他方では遮断装置で支持される。
【００１０】
したがって、最先端の解決策の欠点を取り除く解決策が見い出されている。このガスソケットは、続いて壁面に据え付けたガス配管に連結することができ、且つ該ソケットの外部可視部材は、据え付け場所が完全に竣工された後に取り付けることができる。それ故に、追加の仕事をすることなく、ガス配管を一般に認められている仕方で据え付けることができる。また、ガスソケットの可視部材を交換することも可能である。
【００１１】
遮断装置とシェルとの間の位置調整を容易化するために、遮断装置の方に向いたカバーの面が、遮断装置が固着されたときに該遮断装置の中に突入する少なくとも部分的に円周状のウェブを有するならば有利である。
【実施例】
【００１２】
本発明に係るガスソケットは、例として一具体例を用いて以下で説明する。唯一の図は、閉鎖位置における壁面取り付けガスソケットの断面を示す。
【００１３】
本発明のガスソケットは、一体的な入口ポート２を有するハウジング１からなり、該入口ポートはこの具体例ではハウジング１の縦軸線と直角に配置されているが、入口ポート２はガスソケットを静止のガス配管３と堅く連結させるために雌ネジ山を備える。この連結は圧力ばめまたは類似の方法で行われてもよいことが理解される。入口ポート２で形成されるガス入口は、ガス流れ監視装置がガス入口の後方で圧入される空間４の中へ入る。
【００１４】
ハウジング１の側面開口７の隣接付近において、空間４は凹み８の領域で中断される溝７を備える。バネ加圧の環状の保持リング９は溝７内に設置される。
【００１５】
遮断装置１０に属するノズル１１は、ハウジング１の空間４の中へ突入するが、ノズル１１は、ハウジング１内に位置したその端部に円周溝を有するカラー１２を持ち、該円周溝内に設置し且つ必要な外部気密性を確保するＯ−リング１３を有する。ノズルのハウジング側の側面では、カラー１２は止め溝１４によって制限され、該止め溝は、ストッパとして役立つカラー１５によって、ガス出口である隣接の出口ポート１６から分離され、該出口ポートはガス接続プラグを受け入れるために形成されている。出口ポート１６の外周面に位置した２本のＯ−リング１７は、外部気密性を確保するために用いられる。
【００１６】
ノズル１１は、その内部輪郭によって、遮断バルブ１９用の弁座１８を形成し、該遮断バルブの閉鎖部材２０は、ノズル１１且つ例えば弁座１８の軸線に沿って縦方向に動くことができるように案内部材２１に設置される。閉鎖部材２０は、一端が案内部材２１で支持された閉鎖バネ２２の弾力でバネ加圧され、一方、該バネの他端は閉鎖部材２０で支持される。気密性を確保するために、Ｏ−リング２３が閉鎖部材２０上に設置され、その閉鎖位置において弁座１８に当接する。閉鎖部材２０は、その軸方向延長部２４が出口ポート１６の中へ突入している。
【００１７】
遮断装置１０の一部を形成するベースプレート２５は、ガス接続プラグが必要とする間隔をおいて、出口ポート１６の外側シェルを囲撓する筒状のドーム２６を備える。ドーム２６の側面では、カラーとして形作られたノズル１１のストッパ１５が支持され、ドーム２６にボルト止めされた保持プレート２７によってドーム２６に押し付けられる。
【００１８】
深鍋形状の保持部材２９は、一般に公知の方法例えばボルトおよびダボ（図示しない）によって、その後側面を壁面２８に固着している。保持部材２９の内部空間は、剛性を高めるために、ハウジング１と、この具体例ではねじれ耐性になるようにドーム２６とを受け入れることができるような形をしている。特に、製作の観点から、矩形断面が、ハウジング１およびドーム２６ならびに保持部材２９の内部空間形状に推薦される。さらに、保持部材２９は、入口ポート２をインサートできるように片側が開口している。保持部材２９のねじれ耐性位置においてハウジング１を固着するために、入口ポート２を越えて広がるブラケット３０は、壁面２８に当接する保持部材２９の部分に固着される。
【００１９】
ベースプレート２５は、止め部材３１を介して、それをカバーするフード３２と連結される。その正面側では、フード３２は、係止ボルト３４を受け入れるための２個の穿孔を有し、該係止ボルトはネジ孔を通して保持部材２９にボルト止めされる。さらに、延長孔３３が設けられ、該延長孔の一部の背後に位置した出口ポート１６のガス出口を有する。延長孔３３は、図面に示したその閉鎖位置においてスライダ３８によって閉鎖される。
【００２０】
さらに別の２個の機能部材が、フード３２とベースプレート２５との間に配置される。この機能は、専門家に知られており且つ本発明の本質ではない。それ故に、この機能をここではこれ以上説明しない。
【００２１】
壁面２８と遮断装置１０との間に、双方の表面で開くカバー３５が設置され、該カバーは、入口ポート２の領域において該ポートの通過用の追加の横開口３６を有する。カバー３５は、遮断装置１０を取り付けていないと自由に動かし且つ取り除くことができるのに対し、ガス配管３をハウジング１および付設の保持部材２９と据え付け完了後の場合であれば、遮断装置１０が保持部材２９に固着されすなわちガスソケットが完成すると、壁面２８と遮断装置１０との間で完全に締め付けられる。カバー３５とフード３２との間で一直線状の正確な位置を簡単に見つけ出すために、特に矩形形状が用いられたときに、カバー３５は、遮断装置の方に向くその側面に部分円周状のウェブ３７を備える。このウェブは、固着工程時にガイドの機能を持っており、且つ遮断装置１０が固着されると該遮断装置の中に突入する。
【００２２】
特に視覚上の理由のために、ガスソケットが完成する時に形成されるカバー３５の残りの間隙を、追加のスライドイン−クロージャ３９によって閉じることができる。
【図面の簡単な説明】
【００２３】
【図１】閉鎖位置における壁面取り付けガスソケットを示す断面図である。
【符号の説明】
【００２４】
１    ハウジング
２    入口ポート
３    ガス配管
４    空間
５    ガス流れ監視装置
６    開口
７    溝
８    凹み
９    保持リング
１０    遮断装置
１１    ノズル
１２    カラー
１３    Ｏ−リング
１４    係止溝
１５    ストッパ
１６    出口ポート
１７    Ｏ−リング
１８    弁座
１９    遮断バルブ
２０    閉鎖部材
２１    案内部材
２２    閉鎖バネ
２３    Ｏ−リング
２４    延長部
２５    ベースプレート
２６    ドーム
２７    保持プレート
２８    壁面
２９    保持部材
３０    ブラケット
３１    止め部材
３２    フード
３３    延長孔
３４    係止ボルト
３５    カバー
３６    開口
３７    ウェブ
３８    スライダ
３９    クロージャ
【図１】
2006521508.tif 000003
【国際調査報告】
2006521508.tif 000004
2006521508.tif 000005
2006521508.tif 000006
2006521508.tif 000007